(57)【特許請求の範囲】
【請求項１】
基材と、
少なくとも前記基材の上に形成され、前記基材の表面を平滑にする平滑層と、
前記平滑層の上に形成され、感圧接着剤が塗布された感圧接着剤層と
を含む感圧接着剤付き用紙において、
前記基材と前記平滑層の間に形成され、所定の情報を表示した情報表示層を備える
ことを特徴とする感圧接着剤付き用紙。
【請求項２】
基材と、
少なくとも前記基材の上に形成され、前記基材の表面を平滑にする平滑層と、
前記平滑層の上に形成され、感圧接着剤が塗布された感圧接着剤層と
を含む感圧接着剤付き用紙において、
前記平滑層と前記感圧接着剤層の間に形成され、所定の情報を表示した情報表示層を備える
ことを特徴とする感圧接着剤付き用紙。
【請求項３】
請求項１又は請求項２に記載の感圧接着剤付き用紙において、
前記基材は、再生紙で作製されている
ことを特徴とする感圧接着剤付き用紙。
【発明の詳細な説明】
【０００１】
【発明の属する技術分野】
本発明は、感圧接着剤付き用紙に関し、例えば、親展ハガキ用のメールフォーム等の、一時的に密着性を必要とする帳票類に、好適に使用されて広く普及している、易開封性の接着剤付き用紙に関するものであり、特に、再生紙利用に適する感圧接着剤付き用紙に関するものである。
【０００２】
【従来の技術】
近年、企業からのダイレクトメールや金融機関，官庁等からの通知用として必要事項をプリンター等で印字した後、印字面を裏側にして折り畳み、接着して発送されるメールフォームが広く使用されている。
従来、この種のメールフォームに使用される感圧接着剤付き用紙は、基材に、表面が滑らかで表面強度の高い用紙、例えば、ノンインパクトプリンター（以下、ＮＩＰという。）用上質紙，コート紙系の用紙等を用いて、その基材の上に受取人に共通した情報を印刷し、さらにその上に、感圧接着剤を塗布して、作製していた。
そして、このように作製した感圧接着剤付き用紙を用いたメールフォームに、受取人ごとに異なる情報（氏名等）を印字して、印字面を裏側にして折り畳み、接着後、発送している。
【０００３】
【発明が解決しようとする課題】
昨今、省資源，環境保護のために再生紙利用の社会的要請が高まっているが、従来の方法で、再生紙を基材として感圧接着剤付き用紙を作製することは難しかった。
【０００４】
一般に、再生紙は、通常の用紙を再度溶解して作製するため、用紙を構成する繊維が短く、表面に多くの繊維端部が露出し、用紙表面の凹凸が多い。そのため、再生紙は、吸湿性が大きく、用紙がカールしてしまったり、印字がきれいにできないことがあった。これは、ＮＩＰは、電気的にインキを引きつけて印字するが、吸水した用紙では、電気が流れてしまい、インキを引きつけられない等の理由によるためである。
【０００５】
また、再生紙は、上述の通り、用紙表面の凹凸が多いので、従来の方法で、再生紙を利用して、感圧接着剤付き用紙を作製しても、ベースとなる再生紙表面の凹部に接着剤が吸収されるなどして、塗布ムラが生じ、均一な接着力にならなかった。
その対策として、ベースとなる再生紙の表面の凹部を埋めてしまうほどの接着剤を塗布すると、コストの上昇を招いたり、接着剤乾燥後の用紙カールが大きくなったり、用紙に印字するときのプリンターの衝撃を受けやすくて、きれいに印字ができない等の問題があった。
【０００６】
さらに、再生紙は、上述の通り、用紙を構成する繊維が短いので、繊維が抜け落ちやすく、紙粉の発生が多かった。そのため、感圧接着剤付き用紙の接着剤を塗布する際、その抜け落ちた繊維が接着剤に混入して、固まりとなり、均一な接着剤層が形成できなかった。そのうえ、その抜け落ちた繊維の紙粉が用紙の表面に付着するので、用紙に印字する際に、紙粉の上から印字してしまって、その後、紙粉が脱落し、印字した文字に穴あき等が発生してしまい、きれいに印字できない等の問題もあった。
【０００７】
本発明の課題は、再生紙等を用いた場合にも、きれいに印字ができる、安価な感圧接着剤付き用紙を提供することである。
【０００９】
【課題を解決するための手段】
前記課題を解決するために、請求項１の発明は、基材（１１）と、少なくとも基材（１１）の上に形成され、基材（１１）の表面を平滑にする平滑層（１２）と、平滑層（１２）の上に形成され、感圧接着剤が塗布された感圧接着剤層（１３）とを含む感圧接着剤付き用紙において、基材と平滑層の間に形成され、所定の情報を表示した情報表示層（２４）を備えることを特徴とする感圧接着剤付き用紙（２０）である。
【００１０】
請求項２の発明は、基材（１１）と、少なくとも基材（１１）の上に形成され、基材（１１）の表面を平滑にする平滑層（１２）と、平滑層（１２）の上に形成され、感圧接着剤が塗布された感圧接着剤層（１３）とを含む感圧接着剤付き用紙において、平滑層と感圧接着剤層の間に形成され、所定の情報を表示した情報表示層（３４）を備えることを特徴とする感圧接着剤付き用紙（３０）である。
【００１１】
請求項３の発明は、請求項１又は請求項２に記載の感圧接着剤付き用紙において、基材（１１，２１，３１）は、再生紙で作製されていることを特徴とする感圧接着剤付き用紙である。
【００１２】
【発明の実施の形態】
以下、図面等を参照して、本発明の実施の形態について、さらに詳しくに説明する。
（第１実施形態）
図１は、本発明による感圧接着剤付き用紙の第１実施形態の積層状態を示す図である。
感圧接着剤付き用紙１０は、基材１１と、平滑層１２と、感圧接着剤層１３とを有する。
【００１３】
基材１１は、感圧接着剤付き用紙１０の担体となる基材であり、再生紙で作製されている。
再生紙とは、故紙を再処理して作製した紙であり、含有故紙率は様々である。表面に凹凸が多く、手触りはザラザラしていて、紙粉が発生して表面に付着しやすい等の特徴があり、一般的に、感圧接着剤付き用紙には、あまり使用されていない。
【００１４】
平滑層１２は、基材１１の上に形成された層であり、メジウムインキ、ポリビニルアルコール、ポリエステル系樹脂などが好適に用いられる。具体的には、メジウムインキとして、ザ・インクテック製  透明メジウムインキ等を用いるとよい。平滑層１２は、基材１１の表面に多く存在する凹凸を埋めて、表面を平滑にする。
【００１５】
感圧接着剤層１３は、圧力を加えることで、剥離可能に接着する感圧接着剤が塗布された層である。
感圧接着剤層１３は、例えば、特開平８−４８９５６公報で開示されている感圧接着剤を用いて形成することができる。
すなわち、天然ゴムラテックス等の接着主剤に、マイクロシリカ等の無機充填剤、コーンスターチ等の添加剤、γ−メルカプトプロピルトリメトキシシラン等のシランカップリング剤を一定割合で添加し、さらに必要に応じて、ポリビニルアルコール等のように、接着主剤と相溶性を有しない樹脂やその他の添加剤を添加して作製された接着剤を感圧接着剤として塗布し、剥離可能な感圧接着剤層１３を形成することができる。
【００１６】
感圧接着剤付き用紙１０は、以下のように作製する。
（１）基材１１の原反に、オフセット方式などの輪転方式で、メジウムインキ等を塗布して、平滑層１２を形成する。
このとき、オフセット輪転機のローラーに、基材１１の紙粉が付着し、基材１１から紙粉が取り除かれる。
（２）（１）で作製した原反に、グラビア印刷加工機等で感圧接着剤を塗布して、感圧接着剤層１３を形成する。
以上で、感圧接着剤付き用紙１０が作製できる。
【００１７】
本実施形態によれば、以下のような特徴がある。
（１）平滑層１２により、基材１１の表面が保護され、基材１１の吸湿によるカールを防止できる。
（２）平滑層１２により、基材１１の凹凸を埋めたので、接着剤が節約できる。
接着剤よりも、平滑層１２に使用するメジウムインキ等の方が安価なので、感圧接着剤付き用紙のコストを安くできる。
また、接着剤乾燥後の用紙カールを抑えることができる。
（３）平滑層１２により、基材１１の表面を滑らかにしているので、接着剤を均一に塗布することができ、接着力が安定している。
また、接着剤を薄く塗布することができ、印字する際のプリンターの衝撃を受けにくく、きれいに印字できる。
（４）平滑層１２を塗布するときに、紙粉が除かれるので、均一な感圧接着剤層１３を得ることができ、接着力が安定している。
また、紙粉の上から印字してしまって、印字した文字に穴あき等が発生してしまう、といった不具合が防止できる。
【００１８】
（第２実施形態）
図２は、本発明による感圧接着剤付き用紙の第２実施形態の積層状態を示す図である。
なお、前述した第１実施形態と同様の機能を果たす部分には、末尾が同一の符号を付して、重複する説明を適宜省略する。
感圧接着剤付き用紙２０は、感圧接着剤付き用紙１０に対して、基材２１と平滑層２２の間に形成され、所定の情報を表示した情報表示層２４を備える。
【００１９】
情報表示層２４は、基材２１の上、かつ平滑層２２の下に形成された層であり、感圧接着剤付き用紙２０の受取人にかかわらず、共通した情報を表示する層である。すなわち、例えば、この感圧接着剤付き用紙２０でダイレクトメールを作製するときは、企業広告や、ダイレクトメールを装飾するイラストなどを印刷するとよい。
情報表示層２４の印刷方法としては、オフセット印刷等が好適に用いられる。
【００２０】
また、平滑層２２は、情報表示層２４に表示された情報を目視可能とするために、透明又は半透明であることが望ましい。
【００２１】
感圧接着剤付き用紙２０は、以下のように作製する。
（１）基材２１の原反に、企業広告等をオフセット印刷等をして、情報表示層２４を形成する。
このときの印圧により、基材２１表面の凹凸が、潰されて、小さくなる。
（２）（１）で作製した原反をもとに、感圧接着剤付き用紙１０の作製法と同様の方法で、平滑層２２、感圧接着剤層２３を形成する。
以上で、感圧接着剤付き用紙２０が作製できる。
【００２２】
本実施形態によれば、情報表示層２４が設けられているので、感圧接着剤付き用紙２０を様々にデザインできる。また、情報表示層２４が、感圧接着剤層２３の下に形成されているので、受取人が開封する際に、情報表示層２４のインキが剥がれてしまうことがない。
【００２３】
（第３実施形態）
図３は、本発明による感圧接着剤付き用紙の第３実施形態の積層状態を示す図である。
感圧接着剤付き用紙３０は、感圧接着剤付き用紙１０に対して、平滑層３２と感圧接着剤層３３の間に形成され、所定の情報を表示した情報表示層３４を備える。
【００２４】
情報表示層３４は、平滑層３２の上、かつ感圧接着剤層３３の下に形成された層であり、感圧接着剤付き用紙３０の受取人にかかわらず、共通した情報を表示する層である。
【００２５】
感圧接着剤付き用紙３０は、以下のように作製する。
（１）基材３１の原反に、オフセット方式などの輪転方式で、メジウムインキ等を塗布して、平滑層３２を形成する。
このとき、オフセット輪転機のローラーに、基材３１の紙粉が付着し、基材３１から紙粉が取り除かれる。
（２）基材３１の原反に、企業広告等をオフセット印刷等をして、情報表示層３４を形成する。
（３）（２）で作製した原反をもとに、感圧接着剤付き用紙１０の作製法と同様の方法で、感圧接着剤層３３を形成する。
以上で、感圧接着剤付き用紙３０が作製できる。
【００２６】
本実施形態によれば、情報表示層３４が、平滑層３２の上に形成されているので、平滑層３２に、例えば白色等の着色を施せば、基材３１の色にかかわらず、情報表示層３４が見やすい感圧接着剤付き用紙を提供できる。
【００２７】
（変形形態）
以上説明した実施形態に限定されることなく、種々の変形や変更が可能であって、それらも本発明の均等の範囲内である。
例えば、基材は、再生紙に限定されることなく、上質紙等を使用してもよい。特に、目の粗い上質紙等は、好適である。
【００２８】
【発明の効果】
以上詳しく説明したように、請求項１の発明によれば、平滑層を設けたので、基材の表面を滑らかにして接着剤を均一に塗布できる。また、紙粉の発生を防止できる。
【００２９】
請求項２の発明によれば、情報表示層が設けられているので、感圧接着剤付き用紙を様々にデザインできる。
【００３０】
請求項３の発明によれば、情報表示層が平滑層の上に設けられているので、基材の色にかかわらず、情報表示層が見やすい感圧接着剤付き用紙を作製できる。
【００３１】
請求項４の発明によれば、基材は再生紙で作製されているので、省資源，環境保護に有効である。
【図面の簡単な説明】
【図１】本発明による感圧接着剤付き用紙の第１実施形態の積層状態を示す図である。
【図２】本発明による感圧接着剤付き用紙の第２実施形態の積層状態を示す図である。
【図３】本発明による感圧接着剤付き用紙の第３実施形態の積層状態を示す図である。
【符号の説明】
１０，２０，３０  感圧接着剤付き用紙
１１，２１，３１  基材
１２，２２，３２  平滑層
１３，２３，３３  接着剤層
２４，３４  情報表示層
【図１】
0003857786.tif 000002
【図２】
0003857786.tif 000003
【図３】
0003857786.tif 000004